(57)【要約】【課題】  原子力発電所、ＲＩ施設等の建屋の床に設置されているドレンファンネルから汚染したダストや汚染水が流出するのを防止する装置において、ドレンファンネルへ流入した水は確実に排水でき、ドレンファンネル内から逆に流出しようとする汚染したダストや汚染水はこれを確実に閉止することができること、そして既設配管へも後付けができ、構造的にも簡単なドレンファンネルから汚染したダスト及び汚染水の流出を防止する装置を提供する。【解決手段】  ドレンファンネル１の底部に固設したファンネル配管に挿脱可能な筒状のインナーハウジング２を備え、前記インナーハウジング２は底部に常時インナーハウジングの底部を閉止するよう付勢するスプリング付蝶番４を介して取付けられた閉止弁３を有することを特徴とする。【選択図】      図１
2005300331.tif 000002
【特許請求の範囲】
【請求項１】
ドレンファンネルの底部に固設したファンネル配管に挿脱可能な筒状のインナーハウジングを備え、
前記インナーハウジングは底部に常時インナーハウジングの底部を閉止するよう付勢するスプリング付蝶番を介して取付けられた閉止弁を有することを特徴とするドレンファンネルから汚染したダスト及び汚染水の流出防止装置。
【請求項２】
前記インナーハウジングの上部には多数の開孔を設けた頂板が固設され、該頂板上にパンチングメタルを載置したことを特徴とする請求項１記載のドレンファンネルから汚染したダスト及び汚染水の流出防止装置。
【請求項３】
前記頂板の中心部に排水ホース端に取付けたレバーロックカプラと係合する接続具を有している請求項２記載のドレンファンネルから汚染したダスト及び汚染水の流出防止装置。
【発明の詳細な説明】
【技術分野】
【０００１】
本発明は、原子力発電所、ＲＩ施設等の建屋に設置されているドレンファンネルから汚染したダストや汚水が流出するのを防止する装置に関するものである。さらに詳しくは、この装置は、ドレンファンネルへ流入した水は排水でき、ドレンファンネル内から逆に汚染したダストや汚染水の流出を防止する装置に関するものである。
【背景技術】
【０００２】
原子力発電所等には、床面に排出された流体が流れ込む受け皿としてのドレンファンネルが多く設置されている。
【０００３】
従来のドレンファンネルには、次のような問題があった。
１．排水を受けるサンプタンクの水位変動や大量の排水により、ドレン配管内の気圧変動や他のドレンファンネルへの排水の影響で、ドレン配管内の汚染したダストや汚染水がドレンファンネルから逆に流出し、周りの環境を汚染させることがあった。
２．又、ドレンファンネルにホースを用いて排水する場合、直接ファンネル蓋を開け、ホースを配管内部に挿入していたが（図１０）、ホースの確実な固定ができないので、通路上を歩行する通行人が足を引っ掛けてホースを外したり、高いホース圧力の反力でホースが外れて汚染水を床面に撒き散らし、汚染を拡大させていた。また、このような手段は美観上好ましくなかった。
３．さらに、既設のファンネルは、地中やコンクリートに埋没しておりこれに逆止弁を設けようとしても、追加施工することができなかった。
【０００４】
以上のような問題の解決を目指して次のような技術がしられている。
図１１に示すものは、床面に設けた凹部の底に設けた排水配管ａに挿入し、上部のフランジｂで支持される円筒ｃと、円筒ｃの下側にピンｄで枢着されて上下に揺動する自動開閉蓋ｅと、円筒ｃの上側に固定されて水の流れを制御すると共に自動開閉蓋ｅの回転を阻止する阻止板ｆとで構成されたドレンファンネル用の汚染防止装置はしられている（特許文献１参照。）。
【０００５】
又、図１２の如く床面に設けた凹部の底面に設けた排水配管ｇに挿入し、固定したコップ状容器ｈと、この容器ｈ内に配置され、コップ状容器ｈの底板に設けた排水孔ｉを開閉する球状浮きｊとで構成されるドレンファンネル用汚染防止装置もしられている（特許文献２参照。）。
【０００６】
これら２つのドレンファンネルはあらかじめ水封蓋が取り付けられているタイプである。この構造では水封蓋がドレンファンネルそのものに取付けられるので、水封装置のない既設のドレンファンネルに水封装置を後付けすることができない。
【特許文献１】特開平１１−３０４９９１号公報
【特許文献２】特開２００２−１１６２８９号公報
【発明の開示】
【発明が解決しようとする課題】
【０００７】
原子力発電所、ＲＩ施設等の建屋の床に設置されているドレンファンネルから汚染したダストや汚水が流出するのを防止する装置において、ドレンファンネルへ流入した水は確実に排水でき、ドレンファンネル内から逆に流出しようとする汚染したダストや汚染水はこれを確実に閉止することができること、そして既設配管へも後付けができ、構造的にも簡単なドレンファンネルのダスト防止装置を提供する。
【課題を解決するための手段】
【０００８】
ドレンファンネルの底部に固設したファンネル配管に挿脱可能な筒状のインナーハウジングを備え、
前記インナーハウジングは底部に常時インナーハウジングの底部を閉止するよう付勢するスプリング付蝶番を介して取付けられた閉止弁を有することを特徴とする。
また、前記インナーハウジングの上部には多数の開孔を設けた頂板が固設され、該頂板上にパンチングメタルを載置したことを特徴とする。
そして、前記頂板の中心部に排水ホース端に取付けたレバーロックカプラと係合する接続具を有している。
【発明の効果】
【０００９】
インナーハウジングの底部に閉止弁をスプリング付蝶番で取付けた。そしてこの閉止弁は常時はスプリングで閉止されているので、配管内部からの汚染ダストや汚染水の流出を確実に防止できる。
又ファンネルへ排水した場合、インナーハウジングに所定の量だけ水が溜まると、閉止弁に閉止弁と排水の重量が加わることにより、閉止弁が自動的に開いて排水できる。
さらに排水ホースをレバーロックカプラを介しインナーハウジングの頂板に設けた接続具と接続して排水することができるので、排水ホースをしっかりと保持した状態で排水することができる。
インナーハウジングに固定した頂板上にパンチングメタルを載置したので、インナーハウジングに流入する前にドレンファンネル蓋とパンチングメタルの両者で排水中の粗ゴミを除去できる。
そして、既設配管を改造することなく、後付けでもダスト防止装置を取付けることができる。
【発明を実施するための最良の形態】
【００１０】
図１〜図９に基いて説明する。図１はドレンファンネル１にダスト防止装置を取付けた状態の断面図である。ダスト防止装置はドレンファンネル１の底部に挿入して設置するインナーハウジング２と、インナーハウジング２の底部に設けた閉止弁３で構成されている。インナーハウジング２と閉止弁３はスプリング４’を備えたスプリング付蝶番４（図３）で取付けられているので、閉止弁３は常時スプリング力でインナーハウジング２の底部を閉止している。
インナーハウジング２は、Ｏ−リング５で、ファンネル配管６の内面に密着している。
閉止弁３は、常時、スプリング付蝶番４のスプリング４’（図２，図３）で閉じているので、ドレン配管６からダストが逆にインナーハウジング２内に流出しようとするダスト（図１の矢印ｂ参照）をこれで防止している。
【００１１】
図２を参照するに、インナーハウジング２の底部を閉止する閉止弁３は、その周辺にビス７で取付けられたパッキン８を介しインナーハウジング２の下端面に対し密着している。
【００１２】
インナーハウジング２はその頂部に溶接されたフランジ９を有し、このフランジ９を介し、ドレンファンネル１の底部に支持されている。インナーハウジング２の上部には頂板１０が溶接され、この上にパンチングメタル１１が載置されている。頂板１０には図２に示す如く多数の開孔１０’を有しており、パンチングメタル１１の多数の開孔と頂板１０の開孔１０’を通って、液体はインナーハウジング２内に流入するようになっている。
【００１３】
１３はレバーロックカプラ１２（図８参照）の接続具である。接続具１３は、前記頂板１０の中心部に設けられた孔１４（図２）に取付けられている。ドレンファンネルは液体を通すことのできる多数の開孔１５’を有するドレンファンネル蓋１５（図１・ｂ）で覆われている。
【００１４】
（ドレンファンネルのダスト防止装置の作動）
ドレンファンネル１へ流入してきた水は、パンチングメタル１１で粗ごみを除去した後、インナーハウジング２内に流入してここに溜まり、規定水位に達すると溜まった水の質量と閉止弁３の自重とにより、前記スプリング力に抗して閉止弁３は自動的に下方に開いて床ドレンへ排水される（図１，図７）。
【００１５】
また、ドレンファンネル１へ直接ホースで排水する場合は、専用のレバーロックカプラ１２で接続具１３に接続できるので、ホースはインナーハウジング２の上部にしっかりと固定された状態で排水できる（図８）。
【００１６】
ドレンファンネル１に下方から逆流が生じた場合には、図９に示すように、閉止弁３がインナーハウジング２の下端面に押付けられているので、配管内部からの汚染ダストや汚染水の流出を防止できる。
【００１７】
なおスプリング付蝶番４のスプリング力を調整して、閉止弁３の押付力を調整することにより、ドレンファンネル１が負圧の場合に、外気を吸入することができ、閉止弁３を開放した状態で使用することもできる。
【図面の簡単な説明】
【００１８】
【図１】（ａ）はダスト防止装置の断面図、（ｂ）はドレンファンネル蓋の平面図。
【図２】ダスト防止装置の詳細図で、（ａ）は縦断面図、（ｂ）は上面図、（ｃ）は下面図である。
【図３】閉止弁の詳細図で（ａ）は側面図、（ｂ）は下面図。
【図４】閉止弁の平面図。
【図５】パッキンの平面図。
【図６】頂板の平面図。
【図７】閉止弁が開いて排水する時の状態を示す図。
【図８】レバーロックカプラーを使用して排水する時の状態を示す図。
【図９】逆流防止状態を示す。
【図１０】公知ドレンファンネルを示す図。
【図１１】公知ダスト防止装置の第一例。
【図１２】公知ダスト防止装置の第二例。
【符号の説明】
【００１９】
１  ドレンファンネル                ２  インナーハウジング
３  閉止弁                          ４  蝶番
4'  スプリング                      ５  Ｏ−リング
６  ファンネル配管                  ７  ビス
８  パッキン                        ９  フランジ
10  頂板                            11  パンチングメタル
12  レバーロックカプラ              13  接続具
14  （頂板中心の）孔                15  ドレンファンネル蓋
15'  開孔
【図１】
2005300331.tif 000003
【図２】
2005300331.tif 000004
【図３】
2005300331.tif 000005
【図４】
2005300331.tif 000006
【図５】
2005300331.tif 000007
【図６】
2005300331.tif 000008
【図７】
2005300331.tif 000009
【図８】
2005300331.tif 000010
【図９】
2005300331.tif 000011
【図１０】
2005300331.tif 000012
【図１１】
2005300331.tif 000013
【図１２】
2005300331.tif 000014